(57)【特許請求の範囲】
【請求項１】
躯体(11)に設けられたスリット目地部(13)において、
該スリット目地部(13)に沿って、一方側の躯体(11)に対してプレート(17)をネジ止め手段で取り付け、
該プレート(17)の一部にスライド可能に沿わした状態で、他方側の躯体(11)に対してブリッジプレート(18)をアンカーボルト(19)で取り付け、
前記ブリッジプレート(18)にモルタル(20)を塗着してから、該モルタル(20)の上にタイル(21)を貼着し、
隣接するタイル間にシーリング材(22)を充填すること
を特徴とする、スリット目地部と外壁タイルとの位置ズレ調整目地工法。
【発明の詳細な説明】
【０００１】
【発明の属する技術分野】
本発明は、コンクリート建築物などにおいて、躯体に設けられたスリット目地部と外壁タイル仕上げ面の目地位置とに食い違いが生じる場合の位置ズレ調整目地工法に関するものである。
【０００２】
【従来の技術】
本来、コンクリート建築物などにおいては、躯体に設けられたスリット目地部と外壁に貼着するタイル間の目地位置とを一致させて施工することが望ましいが、施工現場においては、これらが一致せずに食い違いが生じる場合がある。
【０００３】
即ち、この状態を図４に基づいて説明すると、コンクリート躯体１の所要位置には、スリット材２を配設したスリット目地部３が設けられており、このスリット目地部３の外側には、シーリング材４が充填されている。
また、コンクリート躯体１の外側には、下地モルタル５が打設されており、更に、シーリング材４の外側には、バックアップ材６又は貧調合モルタルが充填されている。
【０００４】
そして、前記下地モルタル５及びバックアップ材６の外側には、貼付モルタル７を介して複数枚のタイル８、８が貼着されており、このタイル８、８同士の間には、シーリング材９を充填した目地１０が設けられている。
この施工時においては、目地１０は、タイル８を張り伸ばして目地位置を調整し、スリット目地部３となるべく同一位置になるようにするが、タイル８を張り伸ばす方法では数ｍｍ程度の位置ズレにしか対応できないので、スリット目地部３とタイル８の目地位置とが一致せずに、食い違いが生じてしまうのである。
【０００５】
【発明が解決しようとする課題】
この従来例の場合においては、張り伸ばしたタイル８は接着面積が不足し、タイル８の浮きや剥落の原因となるという欠点がある。
【０００６】
また、スリット目地部３とタイル８の目地位置とが一致しないことにより、地震などによる建物の変形や動きが生じる際、特に躯体面に対して内外方向の変形や動きにタイル８が追従できないこととなって、浮きや剥落のおそれがあるという問題点もある。
【０００７】
従って、従来例における場合においては、タイルの付着強度を低下させないと共に、地震などの際に躯体の変形や動きに追従可能とすることに解決しなければならない課題を有している。
【０００８】
【課題を解決するための手段】
前記従来例の課題を解決する具体的手段として本発明は、躯体(11)に設けられたスリット目地部(13)において、該スリット目地部(13)に沿って、一方側の躯体(11)に対してプレート(17)をネジ止め手段で取り付け、該プレート(17)の一部にスライド可能に沿わした状態で、他方側の躯体(11)に対してブリッジプレート(18)をアンカーボルト(19)で取り付け、前記ブリッジプレート(18)にモルタル(20)を塗着してから、該モルタル(20)の上にタイル(21)を貼着し、隣接するタイル間にシーリング材(22)を充填することを特徴とする、スリット目地部と外壁タイルとの位置ズレ調整目地工法を提供するものである。
【００１０】
本発明に係るスリット目地部と外壁タイルとの位置ズレ調整目地工法においては、スリット目地部を介して一方側の躯体にプレートを、他方側の躯体にブリッジプレートを取り付けると共に、プレートに対してブリッジプレートをスライド可能な状態で沿わすので、地震などの際に躯体の変形や動きを吸収することができる。特に躯体の内外方向の変形や動きに外壁のタイルが追従できるので、浮きや剥落のおそれがない。
【００１１】
【発明の実施の形態】
次に、本発明の実施の形態について図面を参照しながら説明する。図１に示すように、コンクリート建築物の躯体１１には、スリット材１２が配設されたスリット目地部１３が設けられており、このスリット目地部１３の外側には、シーリング材１４が充填されている。
また、躯体１１の外側には、モルタル１５が打設されており、このモルタル１５の上には、外壁タイル１６が貼着されている。
【００１２】
まず、躯体１１に設けられたスリット目地部１３に沿って一方の躯体１１にプレート１７をネジ止めなどの適宜の手段で取り付ける。
【００１３】
プレート１７は、スリット目地部１３に沿って長尺に形成されていると共に、プラスチック等の硬質合成樹脂板又はステンレス板で形成されている。
【００１４】
そして、前記プレート１７の一部に沿わした状態で他方の躯体１１にブリッジプレート１８をアンカーボルト１９により取り付ける。即ち、ブリッジプレート１８は、プレート１７に対してスライド可能な状態で沿わすと共に、スリット目地部１３を覆う状態で取り付ける。
【００１５】
ブリッジプレート１８は、前記プレート１７に沿って長尺に形成されていると共に、両端部１８ａ、１８ａは外側に折曲されている。このように両端部が折曲されているのは、ブリッジプレート１８の上に後述する樹脂混入モルタルを塗着するためである。
【００１６】
また、ブリッジプレート１８は、ステンレス板で形成されており、その表面には、樹脂混入モルタルの付着性を良好に保つためにステンレスワイヤーメッシュ１８ｂが配設されている。
尚、仕上げ厚Ｔが略２０ｍｍ未満の場合には、ブリッジプレート１８をパンチングメタルで形成するのがよい。
【００１７】
次に、図２に示すように、ブリッジプレート１８の上に所要の厚さだけ樹脂混入モルタル２０を塗り付ける。
【００１８】
更に、図３に示すように、樹脂混入モルタル２０上に外壁タイル２１を貼着させて、既に貼着してある外壁タイル１６と高さを合わせるように調整する。
【００１９】
そして、外壁タイル２１と隣接する既設の外壁タイル１６、１６との間にシーリング材２２を充填して目地２３を形成することにより施工が完了する。
【００２０】
このように本発明に係るスリット目地部と外壁タイルとの位置ズレ調整目地工法においては、スリット目地部１３を介して左右の躯体１１、１１に各々プレート１７とブリッジプレート１８とを取り付けると共に、プレート１７に対してブリッジプレート１８をスライド可能な状態で沿わしてあるので、地震などの際の変形や動きを吸収することができ、躯体の内外方向の変形や動きに外壁タイル２１が追従できることとなる。
【００２１】
【発明の効果】
以上説明したように本発明に係るスリット目地部と外壁タイルとの位置ズレ調整目地工法は、躯体(11)に設けられたスリット目地部(13)において、該スリット目地部(13)に沿って、一方側の躯体(11)に対してプレート(17)をネジ止め手段で取り付け、該プレート(17)の一部にスライド可能に沿わした状態で、他方側の躯体(11)に対してブリッジプレート(18)をアンカーボルト(19)で取り付け、前記ブリッジプレート(18)にモルタル(20)を塗着してから、該モルタル(20)の上にタイル(21)を貼着し、隣接するタイル間にシーリング材(22)を充填することによって、プレートに対してブリッジプレートをスライド可能な状態で沿わしてあるので、地震などの際に躯体の変形や動きを吸収することができる。特に躯体の内外方向の変形や動きに外壁のタイルが追従できることとなり、浮きや剥落のおそれがない。
そして、スリット目地部とタイルの目地位置とを一致させて施工する必要がないという種々の優れた効果を奏する。
【図面の簡単な説明】
【図１】躯体にプレート及びブリッジプレートを取り付けた状態を示すスリット目地部の横断面図である。
【図２】ブリッジプレートに樹脂混入モルタルを塗着した状態を示すスリット目地部の横断面図である。
【図３】外壁タイル間にシーリング材を充填して目地部を形成した状態を示すスリット目地部の横断面図である。
【図４】従来例に係るスリット目地部の横断面図である。
【符号の説明】
１    コンクリート躯体
２    スリット材
３    スリット目地部
４    シーリング材
５    下地モルタル
６    バックアップ材
７    貼付モルタル
８    タイル
９    シーリング材
１０  目地
１１  躯体
１２  スリット材
１３  スリット目地部
１４  シーリング材
１５  モルタル
１６  外壁タイル
１７  プレート
１８  ブリッジプレート
１８ａ端部
１８ｂステンレスワイヤーメッシュ
１９  アンカーボルト
２０  樹脂混入モルタル
２１  外壁タイル
２２  シーリング材
２３  目地
【図１】
0003953191.tif 000002
【図２】
0003953191.tif 000003
【図３】
0003953191.tif 000004
【図４】
0003953191.tif 000005